(57)【要約】【課題】ディスクの回転に伴う騒音を安定して低減する。【解決手段】回転の対象となるディスク１０がトレイ８０に保持されて、開口部を介して筐体内の所定の回転位置に搬入されると、開口部はドア８９により閉塞される。このとき、ディスクとドアとの間に遮音壁（３５ａ、８０ｃ）が位置するようにする。これにより、風切り音などのディスクの回転に伴う音は遮音壁で反射され、その結果筐体外部に音が漏れるのを抑制することが可能となる。【選択図】図３
2005149641.tif 000002
【特許請求の範囲】
【請求項１】
ディスクを所定の回転位置にて回転駆動するディスク回転装置であって、
前記ディスクの搬入及び搬出用の開口部が形成された筐体を含んで構成されるディスク回転装置本体と；
前記筐体内の前記回転位置に前記開口部を介して前記ディスクを搬入する第１位置と前記回転位置から前記開口部を介して外部の出し入れ位置に前記ディスクを搬出する第２位置との間で移動可能に前記ディスク回転装置本体に装着されたトレイと；
前記トレイが前記第１位置にあるときに、前記開口部を閉塞するドアと；
前記回転位置に搬入された前記ディスクと前記ドアとの間に位置する遮音壁と；を備えるディスク回転装置。
【請求項２】
前記遮音壁の少なくとも一部は、前記ドアとほぼ対向していることを特徴とする請求項１に記載のディスク回転装置。
【請求項３】
前記遮音壁の少なくとも一部は、前記回転位置に搬入された前記ディスクとほぼ同心円の関係にある円の一部を構成する弧状であることを特徴とする請求項１に記載のディスク回転装置。
【請求項４】
前記ディスク回転装置本体は、前記回転位置に設けられた回転テーブルと、前記ディスクを前記回転テーブルとの間で狭持するクランパ及び該クランパを保持するクランパプレートとを有し、
前記遮音壁は、前記クランパプレート、前記筐体、及び前記トレイの少なくともいずれかに付設されていることを特徴とする請求項１〜３のいずれか一項に記載のディスク回転装置。
【請求項５】
前記ディスクは情報記録媒体であり、
前記ディスク回転装置本体は、前記情報記録媒体に対する情報の記録、再生及び消去のうち、少なくとも再生を行うヘッド部を更に有することを特徴とする請求項１〜４のいずれか一項に記載のディスク回転装置。
【請求項６】
前記情報記録媒体は光ディスクであり、
前記ヘッド部は光ピックアップであることを特徴とする請求項５に記載のディスク回転装置。
【発明の詳細な説明】
【技術分野】
【０００１】
本発明は、ディスク回転装置に係り、更に詳しくは、ディスクを所定の回転位置にて回転駆動するディスク回転装置に関する。
【背景技術】
【０００２】
近年、デジタル技術の進歩及びデータ圧縮技術の向上に伴い、音楽、動画、写真、イラスト及びコンピュータソフトなどのデータを記録するための媒体として、ＣＤ（compact disc）や、ＣＤの約７倍相当のデータをＣＤと同じ直径のディスクに記録可能としたＤＶＤ（digital versatile disc）などの光ディスクが注目されるようになり、その低価格化とともに、光ディスクをデータの記録及び再生の対象媒体とする光ディスクドライブ装置が普及するようになった。
【０００３】
光ディスクドライブ装置は、光ディスクを回転可能に支持するディスク回転機構及び光ディスクにレーザ光を照射する光ピックアップなどを含むドライブ装置本体と、光ディスクをドライブ装置本体における回転位置にローディング（搬入）及び回転位置から排出（搬出）する際に用いられるトレイなどを備えている。そして、データを記録する場合には、ディスク回転機構により光ディスクを回転させながら、光ピックアップからレーザ光を照射し、光ディスクの記録面にマーク領域及びスペース領域を形成している。また、データを再生する場合には、ディスク回転機構により光ディスクを回転させながら、光ピックアップからレーザ光を照射し、光ディスクの記録面からの反射光を検出している。すなわち、記録及び再生のいずれの場合においても、光ディスクはディスク回転機構により回転される。
【０００４】
光ディスクの利用が一般化するにつれて、光ディスクドライブ装置の開発が活発化し、データの読み出し速度は高速化の一途を辿っている。一般にデータの読み出し速度を大きくする方法として、光ディスクの回転速度を大きくする方法が採られている。初期の光ディスクドライブ装置の回転速度（例えばＣＤでは１．２〜１．４ｍ／s）を１とすると、現行では、その４０倍の回転速度（いわゆる４０倍速）以上のものが一般的となっており、５０倍速を超えるものも市販されている。
【０００５】
ところで、一般に光ディスクが回転すると、いわゆる風切り音が発生する。この風切り音は、回転速度が１０倍速未満ではそれほどユーザにとって気になるものではないが、それ以上、特に４０倍速以上ではユーザが不快を感じるような騒音となる。最近、音に対して敏感なユーザが増加し、光ディスクドライブ装置が発生する音の大きさが光ディスクドライブ装置の性能の一つとなり、売れ行きを左右するようになっている。
【０００６】
そこで、この騒音を低減するために、ドライブ装置本体の前面に設けられた光ディスクの搬入及び搬出用の開口部を開閉するドアの密閉性を高め、ドライブ装置本体内部で生じた音が外部に漏れるのを抑制した光ディスク装置が提案されている（例えば特許文献１参照）。
【０００７】
しかしながら、特許文献１に開示されている光ディスク装置では、ドアと一体成形された弾性部の弾性復元力を利用しているため、製品のばらつきにより最適な弾性復元力を安定して得るのが困難であるとともに、弾性部の経年変化などにより耐久性に不安があった。また、光ディスクの回転速度が更に高速化し、風切り音が大きくなると、遮音効果が不十分となるおそれがあった。
【０００８】
【特許文献１】特開２０００−２３１７７９号公報
【発明の開示】
【発明が解決しようとする課題】
【０００９】
本発明は、かかる事情の下になされたもので、その目的は、ディスクの回転に伴う騒音を安定して低減することが可能なディスク回転装置を提供することにある。
【課題を解決するための手段】
【００１０】
請求項１に記載の発明は、ディスクを所定の回転位置にて回転駆動するディスク回転装置であって、前記ディスクの搬入及び搬出用の開口部が形成された筐体を含んで構成されるディスク回転装置本体と；前記筐体内の前記回転位置に前記開口部を介して前記ディスクを搬入する第１位置と前記回転位置から前記開口部を介して外部の出し入れ位置に前記ディスクを搬出する第２位置との間で移動可能に前記ディスク回転装置本体に装着されたトレイと；前記トレイが前記第１位置にあるときに、前記開口部を閉塞するドアと；前記回転位置に搬入された前記ディスクと前記ドアとの間に位置する遮音壁と；を備えるディスク回転装置である。
【００１１】
本明細書において、単に「ディスク」と記述するときは、「ディスク」は、光ディスク等の情報記録媒体のみを意味するものではなく、通常と同様、「円盤」又は「円板状の物体」を意味する。
【００１２】
これによれば、回転の対象となるディスクはトレイに保持されて、開口部を介して筐体内の回転位置に搬入される。ディスクが回転位置に搬入されると開口部はドアにより閉塞される。このとき、ディスクとドアとの間には遮音壁が位置することとなるため、この状態でディスクが回転すると、例えば風切り音などのディスクの回転に伴う音の大部分は、遮音壁によって反射されドアに到達する音量が従来よりも低下する。従って、ディスクの回転に伴う音が筐体外部に漏れるのを抑制することができ、その結果ディスクの回転に伴う騒音を安定して低減することが可能となる。いわゆる静音設計のディスク回転装置を提供することができる。
【００１３】
この場合において、請求項２に記載のディスク回転装置の如く、前記遮音壁の少なくとも一部は、前記ドアとほぼ対向していることとすることができる。
【００１４】
上記請求項１に記載のディスク回転装置において、請求項３に記載のディスク回転装置の如く、前記遮音壁の少なくとも一部は、前記回転位置に搬入された前記ディスクとほぼ同心円の関係にある円の一部を構成する弧状であることとすることができる。
【００１５】
上記請求項１〜３に記載の各ディスク回転装置において、請求項４に記載のディスク回転装置の如く、前記ディスク回転装置本体は、前記回転位置に設けられた回転テーブルと、前記ディスクを前記回転テーブルとの間で狭持するクランパ及び該クランパを保持するクランパプレートとを有し、前記遮音壁は、前記クランパプレート、前記筐体、及び前記トレイの少なくともいずれかに付設されていることとすることができる。
【００１６】
上記請求項１〜４に記載の各ディスク回転装置において、請求項５に記載のディスク回転装置の如く、前記ディスクは情報記録媒体であり、前記ディスク回転装置本体は、前記情報記録媒体に対する情報の記録、再生及び消去のうち、少なくとも再生を行うヘッド部を更に有することとすることができる。
【００１７】
この場合において、請求項６に記載のディスク回転装置の如く、前記情報記録媒体は光ディスクであり、前記ヘッド部は光ピックアップであることとすることができる。すなわち、本発明のディスク回転装置が、光ディスクドライブ装置であることとすることができる。
【発明を実施するための最良の形態】
【００１８】
以下、本発明の一実施形態を図１〜図４を用いて説明する。図１には、本発明のディスク回転装置の一実施形態に係る光ディスクドライブ装置（以下「ドライブ装置」と略述する）１００の概略斜視図が示されている。
【００１９】
この図１に示されるドライブ装置１００は、矩形（長方形）の開口部２５ａが形成された筐体９１を含み、ディスク（及び情報記録媒体）としての光ディスク１０に対する情報の記録及び再生などを行なうディスク回転装置本体としてのドライブ装置本体９０と、前記開口部２５ａを介して図１中の矢印Ａ、Ａ’方向（±Ｘ方向）に往復移動可能に前記筐体９１に装着されたトレイ８０と、該トレイ８０が筐体９１内に収納されたときに前記開口部２５ａを閉塞するドア８９とを備えている。ここでは、一例として、ＣＤ−Ｒ（ＣＤ−recordable）、ＣＤ−ＲＷ（ＣＤ−rewritable）などのＣＤ系の規格に準拠した情報記録媒体が光ディスク１０として用いられるものとする。
【００２０】
前記筐体９１は、ドライブ装置１００の要部の分解斜視図である図２に示されるように、底壁及該底壁から立ち上がった３方（＋Ｙ側、−Ｙ側及び−Ｘ側）の側壁を有するベース２１と、該ベース２１の３方の側壁及び上面を覆う状態で取り付けられるトップカバー２０と、前記ベース２１とトップカバー２０とから成る箱の前面（＋Ｘ側の面）に取り付けられるフロントベゼル２５とから構成されている。前記ベース２１及びトップカバー２０は、外部からの衝撃に耐えられるように、それぞれ例えば板金加工などにより成形された金属部品である。また、前記フロントベゼル２５は、例えば射出成形などにより成形されたプラスチック部品であり、その＋Ｚ側寄りの部分に前記開口部２５ａが形成されている。
【００２１】
前記ベース２１内には、前記ドライブ装置本体９０を構成するヘッド部としての光ピックアップＰＵ（図４参照）、前記トレイ８０を図１の矢印Ａ、Ａ’方向に駆動するトレイ駆動機構３０（図４参照）、光ディスク１０を回転可能に支持する回転機構、各種電気信号を処理及び生成する電気回路を内蔵したＬＳＩ（図示省略）、及びドライブ装置全体を制御する制御部（図示省略）などが収容されている。また、ベース２１内には、図２に示されるように、メカシャーシ２２が配置され、該メカシャーシ２２の四隅近傍には防振部２３がそれぞれ設けられている。奥側（−Ｘ側）の２つの防振部２３は、螺子により不図示の固定部材に固定されている。残りの防振部２３は、メカシャーシ２２を−Ｘ側端部近傍の支軸を中心に起伏回動させてメカシャーシ２２の＋Ｘ側部分をＺ軸方向に上下させる不図示のアップダウン機構の一部に螺子止めされている。
【００２２】
前記回転機構は、スピンドルモータ（図示省略）、ターンテーブル３２、及びボス３２ａなどから構成されている。前記ターンテーブル３２は、前記メカシャーシ２２の＋Ｘ側部分に設けられ、スピンドルモータで回転駆動される。このターンテーブル３２の回転中心部に前記ボス３２ａが設けられている。また、このボス３２ａに対向してクランパ３６が設けられている。このクランパ３６は、前記ベース２１の±Ｙ側の側壁上部にその±Ｙ側の両端が固定されたクランパプレート３５に保持されている。
【００２３】
このクランパプレート３５は、一例として図３に示されるように、クランパプレート３５の＋Ｘ側の端部がターンテーブル３２上の光ディスク１０よりも若干＋Ｘ側となるように設定されている。また、クランパプレート３５は、その＋Ｘ側端部から−Ｚ方向に立ち下がる側壁３５ａを有している。ここでは、側壁３５ａは前記ドア８９にほぼ対向している。この側壁３５ａの高さ（−Ｚ方向に関する長さ）は、前記トレイ８０の移動を妨げなければ、可能な限り高いほうが好ましい。なお、図３では、便宜上ドライブ装置本体９０を構成する各種部品の一部のみが表示されている。
【００２４】
前記ドア８９は、トレイ８０の＋Ｘ側の端部に取り付けられ、トレイ８０と一体化している。そして、トレイ８０が筐体９１内に収納されると、ドア８９がフロントベゼル２５の開口部２５ａに嵌合し、ドライブ装置１００の前面部が見かけ上一枚板となるように設定されている。
【００２５】
前記トレイ８０は、例えば射出成形などにより成形されたプラスチック部品であり、トレイ８０の上面（＋Ｚ側面）には段つきのほぼ円形の凹部８０ｂが形成されている。このうち、１段目の凹部には、例えば１２センチＣＤなどの光ディスクがセットされ、２段目の凹部には、例えば８センチＣＤなどの光ディスクがセットされる。なお、以下においては、これらの凹部をまとめて「トレイ受け皿部８０ｂ」と呼ぶものとする。また、トレイ８０には、筐体９１内に収納されるときに、ターンテーブル３２や光ピックアップＰＵ（図４参照）などに対して機械的に干渉しないように、Ｚ軸方向に貫通する開口部８０ａが形成されている。
【００２６】
また、前記トレイ８０の＋Ｘ側端部近傍には、前記ドア８９にほぼ対向して突条部８０ｃが形成されている。この突条部８０ｃの高さは、トレイ８０の移動の際に前記フロントベゼル２５の開口部２５ａを通過可能であれば、できるだけ高いほうが好ましい。
【００２７】
さらに、前記トレイ８０の裏面（−Ｚ側の面）の±Ｙ側端部近傍には、不図示の溝部がＸ軸方向に沿って形成されており、更に、トレイ８０の−Ｙ側の側壁の内面には、不図示のラックがＸ軸方向に延設されている。
【００２８】
前記トレイ駆動機構３０は、一例として図４に示されるように、回転軸４１ａを時計回り又は反時計回りに回転駆動するモータ４１と、該モータ４１の回転軸４１ａに固定されたプーリー４３と、モータ４１近傍に設けられた複数のギアから成るギア列４７と、プーリー４３の回転をギア列４７を構成する１つのギア４７ｂに伝達する駆動ベルト４５とを備えている。ギア列４７を構成するギアのうちの最も−Ｙ側に位置するギア４７ａは、トレイ８０に設けられた前記ラックと噛み合い、一種のピニオンとして機能する。
【００２９】
このトレイ駆動機構３０では、モータ４１の回転軸４１ａの回転により、プーリー４３、駆動ベルト４５を介してギア列４７を構成する個々のギアが駆動される。そして、−Ｙ方向端部に位置するギア４７ａが反時計回り又は時計回りに回転駆動され、ラックを介してトレイ８０を矢印Ａ方向又は矢印Ａ’方向に駆動するようになっている。この場合、プーリー４３、駆動ベルト４５、及びギア列４７によって、モータ４１（より正確には回転軸４１ａ）の回転を減速してギア４７ａ、さらにはラックに伝達する減速機構が構成されている。
【００３０】
ここで、トレイ８０が矢印Ａ方向に所定距離だけ駆動され、図４に点線にて示される位置に達すると、ギア列４７の近傍に設けられたストッパ５２が、トレイ８０の側面に形成された不図示の切り欠きに係合し、トレイ８０の更なる矢印Ａ方向への移動が阻止されるようになっている。この状態では、トレイ受け皿部８０ｂが筐体９１の外部に完全に露出するため、ユーザはトレイ受け皿部８０ｂへ光ディスク１０をセットし、あるいはトレイ受け皿部８０ｂから光ディスク１０を取り出したりすることができる。従って、以下では、トレイ８０の図４に点線で示される位置を「ディスク着脱位置」（第２位置）と呼ぶものとする。
【００３１】
また、トレイ受け皿部８０ｂに光ディスク１０がセットされたトレイ８０が矢印Ａ’方向に移動し、筐体９１内に完全に収納された状態では、光ディスク１０の中心孔の−Ｚ側に前記ボス３２ａが位置するようになっている。以下においては、トレイ８０のこの状態での位置を「収納位置」（第１位置）と呼ぶものとする。
【００３２】
本実施形態では、トレイ８０が収納位置に到達すると、前記アップダウン機構により前記メカシャーシ２２がアップするようになっている。これにより、前記ターンテーブル３２が上昇し、前記ボス３２ａが光ディスク１０の中心孔に嵌合する。そして、光ディスク１０は前記クランパ３６によってターンテーブル３２に押し付けられる。すなわち、ターンテーブル３２とクランパ３６とによって光ディスク１０が狭持される。そして、この位置が光ディスク１０の回転位置となる。また、図３に示されるように、前記クランパプレート３５の側壁３５ａとトレイ８０の突条部８０ｃとによって、光ディスク１０とドア８９との間にＸ軸方向に関して隙間のない壁（遮音壁）が形成されることとなる。従って、光ディスク１０の回転に伴う音（例えば風切り音）は、前記クランパプレート３５の側壁３５ａ及びトレイ８０の突条部８０ｃによって反射され、前記フロントベゼル２５と前記ドア８９との隙間から音が外部に漏れるのを抑制することができる。
【００３３】
前記ターンテーブル３２の−Ｘ側には前記光ピックアップＰＵが配置されている。この光ピックアップＰＵは、光ディスク１０の記録面にレーザ光を照射するとともに、記録面からの反射光を電気信号に変換する。また光ピックアップＰＵは、光ピックアップＰＵを構成する対物レンズＬＳを光ディスク１０に対してＸ軸方向及びＺ軸方向に駆動するための駆動機構を備えている。
【００３４】
前記フロントベゼル２５の開口部２５ａの近傍にはイジェクトボタン２７が設けられている。このイジェクトボタン２７が押されると、その情報が前記制御部に送られ、該制御部が所定の基準に従ってトレイ駆動機構３０のモータ４１を駆動するようになっている。
【００３５】
次に、上記のようにして構成されたドライブ装置１００の動作について簡単に説明する。
【００３６】
ユーザにより、フロントベゼル２５に設けられたイジェクトボタン２７が押されると、前述の如くして不図示の制御部によりモータ４１（より正確には回転軸４１ａ）が所定方向、例えば反時計回りに回転駆動される。このモータ４１（より正確には回転軸４１ａ）の回転はプーリー４３、駆動ベルト４５、ギア列４７（−Ｙ端に位置するギア４７ａを除くギア）を介してトレイ８０のラックに噛み合った状態のギア４７ａを反時計回りに回転駆動する。これにより、トレイ８０は、図４の矢印Ａ方向に駆動される。そして、所定距離駆動されるとトレイ８０の側面に形成された切り欠きにストッパ５２が係合し、トレイ８０が前記ディスク着脱位置に位置決めされる。このディスク着脱位置にトレイが位置決めされると、不図示のセンサ（又はリミットスイッチ）がこれを検知し、その検知信号が不図示の制御部に伝達され、制御部によってモータ４１が停止される。
【００３７】
トレイ８０がディスク着脱位置にある状態で、ユーザにより光ディスク１０がトレイ受け皿部８０ｂにセットされ（あるいは、既にトレイ受け皿部８０ｂに光ディスクがセットされている場合には、新たな光ディスク１０との交換がなされ）、その後、ユーザによりイジェクトボタン２７が押されるか、あるいはドア８９が矢印Ａ’方向に僅かに押されると、これらの動作が不図示の制御部に伝達され、制御部によってモータ４１は、前記所定方向とは反対方向、例えば時計回りに回転駆動される。これにより、ギア４７ａが時計回りに回転駆動され、トレイ８０が矢印Ａ’方向へと駆動される。
【００３８】
そして、トレイ８０が前記収納位置まで移動すると、不図示のセンサ（又はリミットスイッチ）がこれを検知し、その検知信号が不図示の制御部に伝達され、制御部によってモータ４１が停止される。そして、前述の如くターンテーブル３２とクランパ３６とにより光ディスク１０が挟持される。次いで、制御部によりスピンドルモータが回転されると同時に光ピックアップＰＵからレーザ光が照射され、光ディスク１０で反射された光の電気信号への変換などの処理を経て、光ディスク１０の所定領域に記録されているディスク情報及びファイル管理情報などが前記ＬＳＩを介して読み出された後、制御部によりスピンドルモータが停止される。
【００３９】
その後、ユーザによる動作開始指示に応じて、光ディスク１０が回転駆動されるとともに、光ピックアップＰＵからレーザ光が照射され、光ディスク１０に対するユーザデータの記録及び再生などが実行される。
【００４０】
以上説明したように、本実施形態のドライブ装置１００によると、トレイ８０が筐体９１内に収納され、光ディスク１０が回転位置に搬入されると、クランパプレート３５の側壁３５ａとトレイ８０の突条部８０ｃとによって、光ディスク１０とドア８９との間にＸ軸方向に関して隙間のない壁（遮音壁）が形成されるため、光ディスク１０の回転に伴って発生する風切り音などは遮音壁で反射される。これにより、フロントベゼル２５の開口部２５ａとドア８９との隙間からドライブ装置１００の外部に漏れる音の音量を低下させることができる。また、遮音壁は機械的な作動部分を有していないため、その遮音効果が劣化することはない。すなわち、本実施形態のドライブ装置によると、ディスクの回転に伴う騒音を安定して低減することが可能となる。また、遮音壁は筐体９１内に形成されるので、ドライブ装置１００の外観に影響を与えることもない。
【００４１】
さらに、光ピックアップＰＵから出射されたレーザ光が、フロントベゼル２５の開口部２５ａとドア８９との隙間からドライブ装置１００の外部に漏れるのを防止することができる。
【００４２】
なお、上記実施形態では、トレイ８０を駆動する手段としてモータ４１を駆動源とするトレイ駆動機構３０を用いる場合について説明したが、本発明がこれに限られるものではなく、例えばモータ以外のアクチュエータを用いた駆動機構によってトレイを駆動しても良いし、あるいは手動にてトレイを移動させることとしても良い。また、いわゆるノート型パソコンなどの携帯用情報機器に内蔵されているドライブ装置のように、イジェクトボタン２７をユーザが押すことにより、収納位置にあるトレイ８０のロックが解除され、トレイ８０が僅かに筐体９１から飛び出すようにし、該飛び出した状態のトレイ８０をユーザが、外部に引き出すような構成を採用しても良い。
【００４３】
また、上記実施形態では、ユーザによりイジェクトボタン２７が押されたときに、トレイ駆動機構３０が作動する場合について説明したが、これに限らず、例えばドライブ装置１００の上位装置（例えばパソコン）からの指示（例えばディスクロード要求やディスク排出要求）によりトレイ駆動機構３０を作動させても良い。
【００４４】
また、上記実施形態では、前記クランパプレート３５の側壁３５ａがドア８９に対向している場合について説明したが、これに限定されるものではない。例えば図５及び図６に示されるように、前記回転位置に搬入された光ディスク１０とほぼ同心円の関係にある円の一部を構成する弧状の側壁３５ｂであっても良い。そして、これに対応して、図５及び図６に示されるように、前記突条部８０ｃに代えて、トレイ受け皿部８０ｂの＋Ｘ側の周壁の高さが前記突条部８０ｃの高さとほぼ等しくなるように、トレイ８０の＋Ｘ側端部近傍８０ｄの板厚を厚くしても良い。これにより、トレイ８０が収納位置に到達すると、クランパプレート３５の側壁３５ｂとトレイ８０の＋Ｘ側端部近傍８０ｄとによって、光ディスク１０とドア８９との間にＸ軸方向に関して隙間のない壁（遮音壁）が形成される。また、この場合に前記突条部８０ｃをクランパプレート３５の側壁３５ｂに対向する弧状にしても良い。なお、図６では、便宜上ドライブ装置本体９０を構成する各種部品の一部のみが表示されている。
【００４５】
また、上記実施形態では、クランパプレート３５に遮音壁を設ける場合について説明したが、これに限定されるものではない。例えば図７及び図８に示されるように、トップカバー２０に前記ドア８９に対向する凹部２０ａを遮音壁として設けても良い。具体的には、トップカバー２０の＋Ｘ側端部近傍（Ｘ軸方向に関して前記側壁３５ａとほぼ同じ位置）に、−Ｚ方向の凹部２０ａをプレス加工などで形成する。この凹部２０ａの深さは前記クランパプレート３５の側壁３５ａと同様に、光ディスク１０よりも−Ｚ側となるように設定する。これにより、トレイ８０が収納位置に到達すると、トップカバー２０の凹部２０ａとトレイ８０の突条部８０ｃとによって、光ディスク１０とドア８９との間にＸ軸方向に関して隙間のない壁（遮音壁）が形成される。この場合には、クランパプレート３５の大きさは従来のドライブ装置と同じであっても良い。なお、図８では、便宜上ドライブ装置本体９０を構成する各種部品の一部のみが表示されている。
【００４６】
また、この場合においても、トップカバー２０の凹部はドア８９に対向していなくても良い。例えば図９に示されるように、前記回転位置に搬入された光ディスク１０とほぼ同心円の関係にある円の一部を構成する弧状の凹部２０ｂであっても良い。なお、この凹部２０ｂは、一例として図１０に示されるようにくさび状の断面形状であっても良い。なお、図１０では、便宜上ドライブ装置本体９０を構成する各種部品の一部のみが表示されている。
【００４７】
また、遮音壁がクランパプレート３５及びトップカバー２０の両方に設けられていても良い。さらに、遮音壁の一部がドア８９に対向し、残りの部分が前記弧状であっても良い。要するに、光ディスク１０とドア８９との間にＸ軸方向に関して隙間のない壁（遮音壁）が形成されれば良い。
【００４８】
また、上記実施形態では、ドライブ装置１００がＣＤ系の規格に準拠した光ディスクに対応する場合について説明したが、これに限らず、例えばＤＶＤ系の規格に準拠した光ディスクや、波長が約４０５ｎｍのレーザ光を用いるいわゆる次世代ＤＶＤの規格に準拠した光ディスク、及びレーザディスクＬＤの規格に準拠した光ディスクに対応するものであっても良い。さらに、規格の異なる複数種類の光ディスクに対応するドライブ装置であっても良い。また、情報記録媒体は、光ディスク以外の媒体であっても良い。要するに、情報の記録、再生及び消去のうちの少なくとも再生に際して、情報記録媒体の回転を伴うものであれば、その他の如何なる種類の情報記録媒体であっても良い。
【００４９】
また、上記実施形態では、光ディスクの搭載面が水平面と一致するようないわゆる横置きタイプのドライブ装置の場合について説明したが、光ディスクの搭載面が水平面に垂直となる、いわゆる縦置きタイプのドライブ装置であっても良い。
【００５０】
また、上記実施形態では、ディスク回転装置としてドライブ装置の場合について説明したが、これに限らず、平板状のディスク（円板）を回転する装置であれば良い。この場合に、平板状のディスクとしては、情報記録媒体に限らず、回転して使用される平板状の物体であれば、種々の物体を採用することができる。
【図面の簡単な説明】
【００５１】
【図１】本発明の一実施形態に係るドライブ装置を示す概略斜視図である。
【図２】図１のドライブ装置の要部分解斜視図である。
【図３】トレイが光ディスクとともに筐体内に収納されたときのドライブ装置の断面図である。
【図４】筐体の一部を破断してドライブ装置本体の内部の一部を示す平面図である。
【図５】本発明に係るドライブ装置の変形例（その１）を説明するための図である。
【図６】図５のドライブ装置においてトレイが光ディスクとともに筐体内に収納されたときの断面図である。
【図７】本発明に係るドライブ装置の変形例（その２）を説明するための図である。
【図８】図７のドライブ装置においてトレイが光ディスクとともに筐体内に収納されたときの断面図である。
【図９】本発明に係るドライブ装置の変形例（その３）を説明するための図である。
【図１０】図９のドライブ装置においてトレイが光ディスクとともに筐体内に収納されたときの断面図である。
【符号の説明】
【００５２】
１０…光ディスク（ディスク、情報記録媒体）、２０…トップカバー（筐体の一部）、２０ａ,２０ｂ…凹部（遮音壁の一部）、２５ａ…開口部、３２…ターンテーブル（回転テーブル）、３５…クランパプレート、３５ａ,３５ｂ…側壁（遮音壁の一部）、３６…クランパ、８０…トレイ、８０ｃ…突条部（遮音壁の一部）、８９…ドア、９０…ドライブ装置本体（ディスク回転装置本体）、９１…筐体、１００…ドライブ装置（ディスク回転装置）、ＰＵ…光ピックアップ（ヘッド部）。
【図１】
2005149641.tif 000003
【図２】
2005149641.tif 000004
【図３】
2005149641.tif 000005
【図４】
2005149641.tif 000006
【図５】
2005149641.tif 000007
【図６】
2005149641.tif 000008
【図７】
2005149641.tif 000009
【図８】
2005149641.tif 000010
【図９】
2005149641.tif 000011
【図１０】
2005149641.tif 000012